(57)【要約】【課題】筐体内部が仕切板により送風機室と電装品ユニットとに区画されている空気調和機の室外機において、暴風雨時等においても、送風機室側から電装品ユニット内に水が浸入することを防止する。【解決手段】筐体１の内部に立設された仕切板２を介して、熱交換器３１および送風ファン３２を含む送風機室ＦＣと、圧縮機４１および電装品ユニット５を含む機械室ＭＣとに区画された空気調和機の室外機であって、送風機室ＦＣの前面に配置される吹出パネル１２Ａの一端部に、仕切板２のパネル支持部２１に当接するフランジ部１２４を形成し、フランジ部１２４の基端部１２４Ａに、パネル支持部２１に向かって突設する遮水板１２４Ｂを設けて、送風機室ＦＣから吹出パネル１２Ａとパネル支持部２１の支持面２１Ａとフランジ部１２４の合わせ面８を通って電装品ユニット５内に水が浸入することを防止する。【選択図】図３
2015068594.tif 000002
【特許請求の範囲】
【請求項１】
筐体と、同筐体の内部に立設された仕切板を介して、熱交換器および送風ファンを含み、上記送風ファンの前面側に吹出パネルが配置されている送風機室と、下部に圧縮機および上部に電装品ユニットが配置され、上記圧縮機の前面側にサービスパネルが配置されている機械室とに区画され、上記仕切板には、上記筐体の前面に沿って折り曲げられたパネル支持部を設け、上記パネル支持部の支持面上に、上記吹出パネルの一端部が重合して合わせ面が形成される空気調和機の室外機において、
上記吹出パネルには、上記合わせ面を塞ぐように配置されて、上記送風機室から上記機械室に水が浸入することを遮水する遮水板が設けられていることを特徴とする空気調和機の室外機。
【請求項２】
上記吹出パネルの一端部には、上記パネル支持部の上記支持面に沿って配置され、上記支持面と重合して上記合わせ面を形成するフランジ部が形成され、上記遮水板は、上記フランジ部の基端部から、上記合わせ面のうちの上記送風機室側を塞ぐように前記筐体内に向かって突設されていることを特徴とする請求項１に記載の空気調和機の室外機。
【請求項３】
上記遮水板は、少なくとも上記電装品ユニットの高さ方向の寸法よりも長く形成され、上記電装品ユニットに対応する位置の上記送風機室側に配置されていることを特徴とする請求項１または２に記載の空気調和機の室外機。
【発明の詳細な説明】
【技術分野】
【０００１】
本発明は、空気調和機の室外機に関し、さらに詳しく言えば、室外機内に設けられている電装品ユニット内への水の浸入を防止する技術に関する。
【背景技術】
【０００２】
空気調和機の室外機は、通常、地面やベランダなどに設置される床板パネルを有し、同床板パネルからほぼ垂直に立設された仕切板を介して、筐体内部が、熱交換器および送風ファンを含む送風機室と、圧縮機および電装品ユニットを含む機械室とに区画されている（例えば、特許文献１の特に図３参照）。
【０００３】
送風機室は、その前面が送風ファンの吹出パネルによって覆われている。送風機室にはさらにＬ字状に形成された熱交換器が側面から背面にかけて配置されており、その熱交換器を囲むように桟状に形成された保護グリルが配置されている。
【０００４】
機械室は、前面がメンテナンス用に開閉可能に取り付けられるサービスパネルによって覆われており、側面から背面にかけて側面パネルによって覆われている。さらに送風機室および機械室の上面を天井パネルによって覆うことで、箱状の筐体が形成されている。
【０００５】
送風機室側の吹出パネルと機械室側のサービスパネルとが筐体の前面側に配置されることにより、筐体の前面側を覆う前面パネルが形成されるようになっている。仕切板の一部には、パネル支持部が設けられており、このパネル支持部に沿って吹出パネルの端部とサービスパネルの端部とが、重ねられた状態で支持されるようになっている。
【０００６】
ところで、電装品ユニット内には、室外機を駆動するための電気部品や回路基板、電源ユニットなどの電装部品が設けられている。これら電装部品は水に弱いため、特許文献１を含め多くの場合、電装部品を水から守るため、圧縮機とその配管類は、機械室の下部側に配置し、電装部品をその上部側に配置し、天井パネルの裏面に遮水シートを設けるようにしている。
【０００７】
しかしながら、台風などの暴風雨時には、送風機室内に熱交換器や送風ファンの空気吹出グリル等から大量の水が入り込んで送風ファンによって掻き回されると、仕切板のパネル支持部と前面パネルの端部の合わせ面の隙間から電装品ユニット内に水が浸入して、電装部品に悪影響を与え、最悪の場合、電装部品が故障してしまうおそれがある。
【先行技術文献】
【特許文献】
【０００８】
【特許文献１】特開２０１２−１５９２２５号公報
【発明の概要】
【発明が解決しようとする課題】
【０００９】
そこで、本発明の課題は、筐体内部が仕切板により送風機室と電装品ユニットを含む機械室とに区画されている空気調和機の室外機において、暴風雨時等においても、送風機室側から電装品ユニット内に水が浸入することを防止することにある。
【課題を解決するための手段】
【００１０】
上述した目的を達成するため、本発明は以下に示すいくつかの特徴を備えている。すなわち、筐体と、同筐体の内部に立設された仕切板を介して、熱交換器および送風ファンを含み、上記送風ファンの前面側に吹出パネルが配置されている送風機室と、下部に圧縮機および上部に電装品ユニットが配置され、上記圧縮機の前面側にサービスパネルが配置されている機械室とに区画され、上記仕切板には、上記筐体の前面に沿って折り曲げられたパネル支持部を設け、上記パネル支持部の支持面上に、上記吹出パネルの一端部が重合して合わせ面が形成される空気調和機の室外機において、上記吹出パネルには、上記合わせ面を塞ぐように配置されて、上記送風機室から上記機械室に水が浸入することを遮水する遮水板が設けられていることを特徴とする。
【００１１】
また、上記吹出パネルの一端部には、上記パネル支持部の上記支持面に沿って配置され、上記支持面と重合して上記合わせ面を形成するフランジ部が形成され、上記遮水板は、上記フランジ部の基端部から、上記合わせ面のうちの上記送風機室側を塞ぐように前記筐体内に向かって突設されている態様も含まれる。
【００１２】
さらに、上記遮水板は、少なくとも上記電装品ユニットの高さ方向の寸法よりも長く形成され、上記電装品ユニットに対応する位置の上記送風機室側に配置されている態様も含まれる。
【発明の効果】
【００１３】
これによれば、吹出パネルに遮水板を設けることで、暴風雨時等において、送風機室内の水が仕切板のパネル支持部と吹出パネルのフランジ部の合わせ面を通って電装品ユニット内へ侵入しようとしても、一旦、遮水板に当たることで遮水される。また遮水板を超えた水があっても、遮水板に当たったことで勢いが抑えられ、勢いを失った水は合わせ面まで至ることはなく、合わせ面から侵入することはできなくなり、電装品ユニット内に水が浸入することを防止できる。
【図面の簡単な説明】
【００１４】
【図１】本発明の一実施形態に係る空気調和機の室外機の前面側斜視図。
【図２】上記室外機の内部構造を示す背面側斜視図。
【図３】上記室外機の吹出パネルの背面側斜視図。
【図４】上記室外機の仕切板周辺の部分断面図。
【図５】上記仕切板のパネル支持部を拡大した部分拡大断面図。
【発明を実施するための形態】
【００１５】
次に、本発明の実施形態について、図面を参照しながら説明するが、本発明はこれに限定されるものではない。
【００１６】
図１に示すように、この空気調和機の室外機１は、立体長方形状の筐体１Ａを備えている。筐体１Ａは、地面やベランダなどに設置するための脚部１１を備えた床板パネル１０と、床板パネル１０の前面側に沿って垂直に立設される前面パネル１２と、一方の側面（図１では右側面）から背面にかけての一部を覆うように立設される側面パネル１３と、天井面を覆うように取り付けられる天井パネル１４とを備えている。
【００１７】
なお、図１において室外機１の前面パネル１２がある面を前面とし、その対面を背面とし、天井パネル１４のある面を天面とし、床板パネル１０のある面を底面とし、側面パネル１３のある側面を右側面とし、右側面の対面を左側面として以下説明する。また、内部部品についても同様に説明する。
【００１８】
図２に示すように、筐体１Ａの内部は、仕切板２を介して送風機室ＦＣと機械室ＭＣとに区画されている。筐体１Ａの左側に送風機室ＦＣが右側に機械室ＭＣが位置する。前面パネル１２は、送風機室ＦＣ側の前面に配置される吹出パネル１２Ａと、機械室ＭＣ側の前面に配置されるサービスパネル１２Ｂとを有し、吹出パネル１２Ａの一端部である右端部１２Ａ１とサービスパネル１２Ｂの一端部である左端部１２Ｂ１同士が仕切板２の後述するパネル支持部２１において互いに重なり合うように組み合わせられることで、筐体の前面側を覆う上述した前面パネル１２が形成されるようになっている。
【００１９】
送風機室ＦＣは、熱交換器３１および送風ファン３２を備え、送風ファン３２は筐体１Ａの前面左側に配置されている。熱交換器３１は、筐体１Ａの左側面から背面にかけてＬ字状に配置されている。
【００２０】
送風ファン３２は、図示しない駆動モータによって駆動され、送風ファン３２を駆動することにより、熱交換器３１に吸い込こまれて冷媒と熱交換された空気が吹出パネル１２Ａの吹出口１２１から筐体外に排気されるようになっている。
【００２１】
機械室ＭＣは、下部に圧縮機４１やレシーバタンク４２およびその配管類（図示しない）を有し、上部に室外機１を駆動するのに必要な回路基板や電装部品が収納される電装品ユニット５を備える。
【００２２】
本発明において、熱交換器３１、送風ファン３２、圧縮機４１やレシーバタンク４２およびその配管類の具体的構成は任意であってよく、その説明は省略する。
【００２３】
図３に示すように、吹出パネル１２Ａは、中央に吹出口１２１を有する合成樹脂製の成形品であって、その内面側には吹出口１２１の周囲を囲むように突出するベルマウス１２２が一体的に形成されている。吹出パネル１２Ａの前面側には、図１に示す吹出口１２１に手指の挿入を防止する吹出グリル１２３が取り付けられている。吹出グリル１２３は吹出パネル１２Ａと一体でも別体でもいずれでもよい。
【００２４】
吹出パネル１２Ａの左端部１２Ａ２は、ほぼ９０°に折り曲げられており、熱交換器を保護する図示しない保護グリルが係止されるようになっている。吹出パネル１２の右端部１２Ａ１には、仕切板２に沿って当接するフランジ部１２４が設けられている。
【００２５】
図５に示すように、フランジ部１２４は、吹出パネル１２Ａの右端部１２Ａ１の側面から吹出パネル１２Ａの前面とほぼ平行に延設されており、吹出パネル１２Ａの右端部１２Ａ１の上端（図３では上端）から下端（図３では下端）にかけて、ほぼ等幅で延在している。
【００２６】
吹出パネル１２Ａの右端部１２Ａ１の側面上でフランジ部１２４の基端部１２４Ａには、フランジ部１２４とは別に遮水板１２４Ｂが設けられている。遮水板１２４Ｂは、基端部１２４Ａから筐体１Ａ内に向かってほぼ垂直に立設されており、吹出パネル１２Ａの上端から下端に向けて上端から下端に至る距離の約２／３に形成されている。
【００２７】
この実施形態において、遮水板１２４Ｂは、少なくとも仕切板２の上部側に配置される電装品ユニット５の高さ方向の寸法よりも長く形成されていることが好ましい。これによれば、遮水板１２４Ｂの長さを電装品ユニット５の高さよりも長く形成しておくことで、少なくとも電装品ユニット５内に水が浸入することを防止できる。
【００２８】
図１に示すように、サービスパネル１２Ｂは、金属板をプレス加工したものであって、機械室ＭＣの前面から右側面の一部にかけてを覆い隠す断面Ｌ字状に形成されている。この実施形態において、サービスパネル１２Ｂは、機械室ＭＣ内をメンテナンスする際などに開閉されるサービスパネル１２６と、冷媒の接続バルブなどの配管が引き出される配管パネル１２７とからなる。
図５に示すように、サービスパネル１２Ｂの左端部１２Ｂ１には、内面側に向けて折り曲げられた折曲片１２Ｂ２を備える。
【００２９】
図１に示すように、側面パネル１３は、同じく金属板をプレス加工したものであって、機械室ＭＣの側面から背面にかけてを覆い隠す断面Ｌ字状に形成されている。本発明において、サービスパネル１２Ｂおよび側面パネル１３の具体的な構成は任意であってよい。
【００３０】
仕切板２は、剛性の高い金属板の成形品からなり、高さ方向において、床板パネル１０から天井パネル１４にかけてほぼ垂直に立設されている。仕切板２は、奥行方向において、筐体１の奥行方向の前面側から背面側にかけて斜めに掛け渡されている。
【００３１】
図２に示すように、仕切板２の機械室ＭＣ側には、水に濡れにくいように仕切板２の上部に電装品ユニット５が配置されている。
【００３２】
図４に示すように、仕切板２の機械室ＭＣ側にはさらに、電装品ユニット５の例えばリアクタやパワーモジュールなどの発熱電装部品（図示しない）を積極的に冷却する通気路６１を形成するための通気ダクト６が設けられている。この実施形態において、通気ダクト６は、中央に形成されたリブ６２を挟んで２つの通気路６１ａ，６１ｂを有している。
【００３３】
電装品ユニット５に対向する仕切板２の一部には、送風ファン３２の運転に伴って生ずる負圧により、側面パネル１３の吸気孔１６から機械室ＭＣ内に入った空気が、発熱電装部品を冷却して送風機室ＦＣ側に流入する通気路を形成する通気口２０が設けられている。
【００３４】
この実施形態では、通気口２０として２つの通気口２０ａ，２０ｂを備え、それぞれ電装品ユニット５内に向けて開放されている。通気口２０ａ，２０ｂは、左右の横並びに配置されており、それぞれ長方形状の孔からなる。通気口２０ａ，２０ｂを区別する必要がない場合には、総称して通気口２０とする。
【００３５】
通気口２０ａ，２０ｂを挟んで仕切板２の送風機室ＦＣ側には送風機室ＦＣ側から電装品ユニット５に水が浸入しないようにするための遮水箱７が設けられている。本発明において、遮水箱７の具体的な構成は任意であってよく、その説明は省略する。
【００３６】
仕切板２の背面側端（図４における下）は熱交換器の側板（図示なし）と係合し、仕切板２の前面側端（図４における上）には、吹出パネル１２Ａの右端部１２Ａ１と当接するパネル支持部２１が設けられている。パネル支持部２１は、仕切板２の一端から送風機室ＦＣ側に向けて折り曲げられた基端部２１１と、基端部２１１の他端側からほぼ９０°折り曲げられ、中央をくの字状に折り曲げられた第１当接部２１２と、第１当接部２１２の他端から鈍角に折り曲げられ、吹出パネル１２Ａのフランジ部１２４を支持する支持面２１Ａを有する第２当接部２１３とを備えている。
【００３７】
図５に示すように、パネル支持部２１の第２当接部２１３の支持面２１Ａは、筐体１の前面に沿ってほぼ平行となるように配置されており、その支持面２１Ａに沿って吹出パネル１２Ａのフランジ部１２４が重合して支持面２１Ａとフランジ部１２４による合わせ面８が形成される。そして合わせ面８で支持面２１Ａとフランジ部１２４が複数箇所ネジ９で固定されることで、仕切板２と吹出パネル１２Ａが固定される。支持面２１Ａとフランジ部１２４は強固に固定されることで、送風機室ＦＣ側から機械室ＭＣ側への水の侵入は抑えられる。
【００３８】
さらに、フランジ部１２４の前面には、サービスパネル１２Ｂが配置され、サービスパネル１２Ｂの折曲片１２Ｂ２とフランジ部１２４の基端部１２４Ａが当接する。サービスパネル１２Ｂはメンテナンス時に取り外す必要があるので、床板パネル１０と天井パネル１４にネジ止めされる。
【００３９】
フランジ部１２４の基端部１２４Ａに形成された遮水板１２４Ｂは、合わせ面８を塞ぐようにパネル支持部２１の第１当接部２１２に向かって張り出すように配置されることになる。この構成により、暴風雨時等において、送風機室ＦＣ内の水が送風ファンによって掻き回され、電装品ユニット５内へ侵入しようとしても、遮水板１２４Ｂに当たることで遮水される。
【００４０】
遮水板１２４Ｂは、図５において、その先端が第１当接部２１２から若干の隙間Ｓを設けた状態となるように配置されているが、これは室外機１の振動によるビビリ音を防ぐためである。
そして、フランジ部１２４とパネル支持部２１の第１当接部２１２と遮水板１２４Ｂによって空間Ｋが形成される。また、遮水板１２４Ｂは、フランジ部１２４の基端部１２４Ａから突設されているが、これにかぎらずフランジ部１２４の合わせ面８よりも送風機室ＦＣ側であればよく、空間Ｋが少しでも設けられればよい。この構成により、遮水板１２４Ｂから隙間Ｓに入り込んだ水があっても、遮水板に当たったことで勢いが抑えられ、勢いを失った水は空間Ｋで留まり、合わせ面８まで至ることはなく、合わせ面８から侵入することはできなくなり、電装品ユニット５内に水が浸入することを防止できる。
【００４１】
以上説明したように、本発明によれば、吹出パネル１２Ａに遮水板１２４Ｂを設けることで、暴風雨時等において、送風機室ＦＣ内の水が仕切板２のパネル支持部２１と吹出パネル１２Ａのフランジ部１２４の合わせ面８を通って電装品ユニット５内へ侵入しようとしても、一旦、遮水板１２４Ｂに当たることで遮水される。また遮水板１２４Ｂを超えた水があっても、遮水板１２４Ｂに当たったことで勢いが抑えられ、勢いを失った水は空間Ｋで留まり、合わせ面８まで至ることはなく、合わせ面８から侵入することはできなくなり、電装品ユニット５内に水が浸入することを防止できる。
【符号の説明】
【００４２】
１  空気調和機（室外機）
１Ａ  筐体
２  仕切板
２１  パネル支持部
２１Ａ  支持面
２１２  第１当接部
２１３  第２当接部
１０  床板パネル
１２  前面パネル
１２Ａ  吹出パネル
１２Ｂ  サービスパネル
１２１  吹出口
１２２  ベルマウス
１２３  吹出グリル
１２４  フランジ部
１２４Ｂ  遮水板
１３  側面パネル
１４  天井パネル
３１  熱交換器
３２  送風ファン
８  合わせ面
ＦＣ  送風機室
ＭＣ  機械室
【図１】
2015068594.tif 000003
【図２】
2015068594.tif 000004
【図３】
2015068594.tif 000005
【図４】
2015068594.tif 000006
【図５】
2015068594.tif 000007